(57)【要約】      （修正有）【課題】水中に投げ入れる際の空中での姿勢の崩れを制御して、水中において所望の動きを実現することが可能な疑似餌を提供する。【解決手段】胴部１１にフィン１２が設けられた疑似餌（エギ１０）であって、フィン１２は、胴部１１内に配設される固定部と、固定部に連設され、胴部１１から外方に突出するフィン本体部とからなると共に、胴部１１には固定部が挿入固定される空隙部が設けられていることを特徴とする。【選択図】図１
0003184994.tif 000002
【実用新案登録請求の範囲】
【請求項１】
胴部にフィンが設けられた疑似餌であって、前記フィンは、前記胴部内に配設される固定部と、前記固定部に連設され、前記胴部から外方に突出するフィン本体部とからなると共に、前記胴部には前記固定部が挿入固定される空隙部が設けられていることを特徴とする疑似餌。
【請求項２】
前記フィンは、前記胴部の腹部側に設けられていることを特徴とする請求項１に記載の疑似餌。
【請求項３】
前記固定部には係止部が設けられると共に前記空隙部には前記係止部に係合する係合部が設けられ、前記フィンは前記胴部に対して着脱可能に設けられていることを特徴とする請求項１に記載の疑似餌。
【請求項４】
前記フィン本体部の上下方向における断面形状は、基端部が最も厚さ寸法が大きく、基端部から先端部に至るに従って次第に細くなるテーパ状に形成されていることを特徴とする請求項１に記載の疑似餌。
【請求項５】
前記フィン本体部の前後方向における断面形状は、前端部が最も厚さ寸法が大きく、前端部から後端部に至るに従って細くなるようなテーパ状に形成されていることを特徴とする請求項１に記載の疑似餌。
【請求項６】
前記フィン本体部の前後方向における断面形状は、後端部が最も厚さ寸法が大きく、後端部から前端部に至るに従って細くなるようなテーパ状に形成されていることを特徴とする請求項１に記載の疑似餌。
【請求項７】
前記疑似餌はエギであって、前記胴部の後端部には針部が突設され、前記針部は、軸部と軸部の径方向に突出する針本体とからなり、前記固定部には前記針部が固定される挿入固定部が形成されていることを特徴とする請求項１に記載の疑似餌。
【請求項８】
前記フィンは硬質素材からなることを特徴とする請求項１に記載の疑似餌。
【請求項９】
前記フィンは軟質素材からなることを特徴とする請求項１に記載の疑似餌。
【請求項１０】
前記フィンは蓄光性蛍光体からなる塗料が塗布されていることを特徴とする請求項１に記載の疑似餌。
【請求項１１】
前記フィンは透明素材からなることを特徴とする請求項１に記載の疑似餌。
【請求項１２】
前記フィンは前記胴部の背部側に設けられていることを特徴とする請求項１に記載の疑似餌。
【請求項１３】
前記フィンは前記胴部の背部側及び腹部側に設けられていることを特徴とする請求項１に記載の疑似餌。
【請求項１４】
前記フィン本体部は側面略三角形状に形成され、前方に膨出する円弧状の前端縁部と、前端縁部の先端部から後方に向かって幅寸法が小さくなる円弧状の外方縁部とを有していることを特徴とする請求項１に記載の疑似餌。
【考案の詳細な説明】
【技術分野】
【０００１】
本考案は、魚釣りに際して用いられる疑似餌に関するものである。
【背景技術】
【０００２】
従来から、魚釣りに用いられる疑似餌として様々な形態のものが知られており、その用途に応じて、形状、重量、色、泳ぎ方等の固有の特性を有し、状況に応じて、その特性を変えることができるものも存在する。
【０００３】
例えば、魚を模した外観形状となるように形成されたルアーボディに揺動可能に配設された鰭部材を備えた釣り用ルアーが知られている（例えば、特許文献１参照）。
【０００４】
しかしながら、特許文献１に記載の釣り用ルアーには、左右方向への回転動作を円滑に行うことはできるが、それ以上の複雑な動作については対応できないという問題があった。
【特許文献１】特開２００６−３２５４３１号公報
【考案の開示】
【考案が解決しようとする課題】
【０００５】
本考案は、上記従来技術の有する問題点に鑑みなされたものであり、その目的とするところは、水中での姿勢の崩れを制御して、所望の動きを実現することが可能な疑似餌を提供することにある。
【課題を解決するための手段】
【０００６】
本考案の上記課題は、下記の手段によって達成される。
【０００７】
請求項１に記載の考案に係る疑似餌は、胴部にフィンが設けられた疑似餌であって、前記フィンは、前記胴部内に配設される固定部と、前記固定部に連設され、前記胴部から外方に突出するフィン本体部とからなると共に、前記胴部には前記固定部が挿入固定される空隙部が設けられていることを特徴とする。
【０００８】
従って、本考案に係る疑似餌は、前記フィンの固定部を空隙部に挿入して固定することにより、前記胴部の所定位置に前記フィンを確実に固定することができる。
【０００９】
請求項２の考案に係る疑似餌は、前記フィンは、前記胴部の腹部側に設けられていることを特徴とし、請求項１２の考案に係る疑似餌は、前記フィンは前記胴部の背部側に設けられていることを特徴とする。
【００１０】
従って、本考案に係る疑似餌は、前記フィンが前記胴部の腹部側又は背部側に設けられていることから、前記胴部の前後方向の水流に対して同調させることができるため、前記胴部の左右方向への揺れを低減することができる。
【００１１】
請求項３の考案に係る疑似餌は、前記固定部には係止部が設けられると共に前記空隙部には前記係止部に係合する係合部が設けられ、前記フィンは前記胴部に対して着脱可能に設けられていることを特徴とする。
【００１２】
従って、本考案に係る疑似餌は、前記固定部には係止部が設けられると共に前記空隙部には前記係止部に係合する係合部が設けられ、前記フィンは前記胴部に対して着脱可能に設けられていることから、前記胴部の所定位置に前記フィンを確実に固定すると共に、状況に応じて前記フィンを取り外すことができる。
【００１３】
請求項４の考案に係る疑似餌は、前記フィン本体部の上下方向における断面形状は、基端部が最も厚さ寸法が大きく、基端部から先端部に至るに従って次第に細くなるテーパ状に形成されていることを特徴とする。
【００１４】
従って、本考案に係る疑似餌は、前記フィン本体部の上下方向における断面形状は、基端部が最も厚さ寸法が大きく、基端部から先端部に至るに従って次第に細くなるテーパ状に形成されていることから、水中における水流抵抗を最小限に抑えることができる。
【００１５】
請求項５の考案に係る疑似餌は、前記フィン本体部の前後方向における断面形状は、前端部が最も厚さ寸法が大きく、前端部から後端部に至るに従って細くなるようなテーパ状に形成されていることを特徴とする。
【００１６】
従って、本考案に係る疑似餌は、前記フィン本体部の前後方向における断面形状は、前端部が最も厚さ寸法が大きく、前端部から後端部に至るに従って細くなるようなテーパ状に形成されていることから、水中における水流抵抗を軽減することができる。
【００１７】
請求項６の考案に係る疑似餌は、前記フィン本体部の前後方向における断面形状は、後端部が最も厚さ寸法が大きく、後端部から前端部に至るに従って細くなるようなテーパ状に形成されていることを特徴とする。
【００１８】
従って、本考案に係る疑似餌は、前記フィン本体部の前後方向における断面形状は、後端部が最も厚さ寸法が大きく、後端部から前端部に至るに従って細くなるようなテーパ状に形成されていることから、水中に投入する際の空気抵抗を最小限に抑えることができる。
【００１９】
請求項７の考案に係る疑似餌は、前記疑似餌はエギであって、前記胴部の後端部には針部が突設され、前記針部は、軸部と軸部の径方向に突出する針本体とからなり、前記固定部には前記針部が固定される挿入固定部が形成されていることを特徴とする。
【００２０】
従って、本考案に係る疑似餌は、前記疑似餌はエギであって、前記胴部の後端部には針部が突設され、前記針部は、軸部と軸部の径方向に突出する針本体とからなり、前記固定部には前記針部が固定される挿入固定部が形成されていることから、前記胴部の後端部に前記フィンを確実且つ堅強に固定することができる。
【００２１】
請求項８の考案に係る疑似餌は、前記フィンは硬質素材からなることを特徴とする。
【００２２】
従って、本考案に係る疑似餌は、前記フィンが硬質素材からなる構成により、前記フィンの強度を高めることができると共に、水中における水流抵抗を最小限に抑えることができる。
【００２３】
請求項９の考案に係る疑似餌は、前記フィンは軟質素材からなることを特徴とする。
【００２４】
従って、本考案に係る疑似餌は、前記フィンが軟質素材からなる構成により、前記フィンを柔らかくすることができる。
【００２５】
請求項１０の考案に係る疑似餌は、前記フィンは蓄光性蛍光体からなる塗料が塗布されていることを特徴とする。
【００２６】
従って、本考案に係る疑似餌は、前記フィンが蓄光性蛍光体からなる塗料が塗布されていることから、疑似餌が水中に投入されると、蓄光性物質の発光による燐光を発する。
【００２７】
請求項１１の考案に係る疑似餌は、前記フィンは透明素材からなることを特徴とする。
【００２８】
従って、本考案に係る疑似餌は、前記フィンが透明素材からなる構成により、前記フィンの存在をターゲットに感知又は視認させにくくすることができる。
【００２９】
請求項１３の考案に係る疑似餌は、前記フィンは前記胴部の背部側及び腹部側に設けられていることを特徴とする。
【００３０】
従って、本考案に係る疑似餌は、前記フィンが前記胴部の背部側又は腹部側に設けられていることから、水中における姿勢を安定させることができる。
【００３１】
請求項１４の考案に係る疑似餌は、前記フィン本体部は側面略三角形状に形成され、前方に膨出する円弧状の前端縁部と、前端縁部の先端部から後方に向かって幅寸法が小さくなる円弧状の外方縁部とを有していることを特徴とする。
【００３２】
従って、本考案に係る疑似餌は、前記フィン本体部が側面略三角形状に形成され、前方に膨出する円弧状の前端縁部と、前端縁部の先端部から後方に向かって幅寸法が小さくなる円弧状の外方縁部とから構成されているので、ターゲットの餌となり得る魚のヒレの外観形状を模した疑似餌を提供することができる。
【考案の効果】
【００３３】
請求項１に記載の考案にあっては、前記フィンの固定部を空隙部に挿入して固定することにより、前記胴部に前記フィンを確実に固定することができるので、ターゲットや障害物等との衝撃等による前記フィンの脱落を防止することができる。
【００３４】
請求項２又は１２に記載の考案にあっては、前記フィンは、前記胴部の腹部側又は背部側に設けられていることから、前記胴部の前後方向の水流に対して同調させることができるため、前記胴部の左右方向への揺れを低減することができるので、ローリングの抑制や回頭性の向上により、疑似餌の直進安定性を確保することができる。
【００３５】
請求項３に記載の考案にあっては、前記固定部には係止部が設けられると共に前記空隙部には前記係止部に係合する係合部が設けられ、前記フィンは前記胴部に対して着脱可能に設けられている構成により、前記胴部に前記フィンを確実に固定することができると共に、状況に応じて前記フィンを外すことができるので、ターゲットや障害物等との衝撃等による前記フィンの脱落を防止することができ、また、前記フィンの交換や取り外して掃除を容易に行うことができる。
【００３６】
請求項４に記載の考案にあっては、前記フィン本体部の上下方向における断面形状は、基端部が最も厚さ寸法が大きく、基端部から先端部に至るに従って次第に細くなるテーパ状に形成されていることから、水中における水流抵抗を最小限に抑えることができると共に、水中投下後の沈下姿勢を安定させることができ、且つローリングの抑制や回頭性の向上により、疑似餌の直進安定性を確保することができる。
【００３７】
請求項５に記載の考案にあっては、前記フィン本体部の前後方向における断面形状は、前端部が最も厚さ寸法が大きく、前端部から後端部に至るに従って細くなるようなテーパ状に形成されていることから、水中における水流抵抗を軽減することができ、その結果、ローリングの抑制や回頭性の向上により、疑似餌の直進安定性を確保することができる。
【００３８】
請求項６に記載の考案にあっては、前記フィン本体部の前後方向における断面形状は、後端部が最も厚さ寸法が大きく、後端部から前端部に至るに従って細くなるようなテーパ状に形成されていることから、水中に投入する際の空気抵抗を最小限に抑えることができるので、気流に対して平行になるように姿勢を保持し、飛距離を大幅に伸ばすことができる。
【００３９】
請求項７に記載の考案にあっては、前記疑似餌はエギであって、前記胴部の後端部には針部が突設され、前記針部は、軸部と軸部の径方向に突出する針本体とからなり、前記固定部には前記針部が固定される挿入固定部が形成されていることから、前記胴部の後端部に前記フィンを確実且つ堅強に固定することができるので、ターゲットや障害物等との衝撃等による前記フィンの脱落を防止することができ、且つ特にイカ釣りに用いることができる。
【００４０】
請求項８に記載の考案にあっては、前記フィンが硬質素材からなる構成により、前記フィンの強度を高めることができると共に、水中における水流抵抗を最小限に抑えることができるので、ターゲットや障害物等との衝撃等による前記フィンの破損を防止することができ、且つローリングの抑制や回頭性の向上により、疑似餌の直進安定性を確保することができる。
【００４１】
請求項９に記載の考案にあっては、前記フィンが軟質素材からなる構成により、前記フィンを柔らかくすることができるので、使用者の操作性を向上させることができる。
【００４２】
請求項１０に記載の考案にあっては、前記フィンが蓄光性蛍光体からなる塗料が塗布されていることから、疑似餌が水中に投入されると、蓄光性物質の発光による燐光を発するので、燐光によりターゲットが生物であると誤認することによる集魚効果により、大幅に釣果を上げることができる。
【００４３】
請求項１１に記載の考案にあっては、前記フィンが透明素材からなる構成により、前記フィンの存在をターゲットに感知又は視認させにくくすることができるので、前記フィンの存在感を低下させることにより、例えば、前記胴部等の着色部分や上述した蓄光性物質による燐光等のフィン以外の要素を、ターゲットに対してアピールしやすくなると共に、疑似餌のボリューム感を抑えたように錯覚させることができる。
【００４４】
請求項１３に記載の考案にあっては、前記フィンが前記胴部の背部側又は腹部側に設けられていることから、水中における姿勢を安定させることができるので、例えば、浮き上がりや浮き沈み等の水中における疑似餌の動作を容易にコントロールすることができる。
【００４５】
請求項１４に記載の考案にあっては、前記フィン本体部が側面略三角形状に形成され、前方に膨出する円弧状の前端縁部と、前端縁部の先端部から後方に向かって幅寸法が小さくなる円弧状の外方縁部とから構成されているので、ターゲットの餌となり得る魚のヒレの外観形状を模した結果、外観品質に富んだ疑似餌を提供することができる。
【図面の簡単な説明】
【００４６】
【図１】図１は、本考案に係る疑似餌の第一の実施の形態を示し、本考案に係る疑似餌をエギに適用した場合を示す斜視図である。
【図２】図２は、本考案に係る疑似餌の第一の実施の形態を示し、本実施形態に係るエギの構成要素であるフィンを示す斜視図である。
【図３】図３は、本考案に係る疑似餌の第一の実施の形態を示し、本実施形態に係るエギ及びエギの構成要素であるフィンの断面を示しており、（ａ）はＢ−Ｂ断面図、（ｂ）はＡ−Ａ断面図である。
【図４】図４は、本考案に係る疑似餌の第一の実施の形態を示し、本実施形態に係るエギ及びエギの構成要素であるフィン及び針部の固定状態を示した図である。
【図５】図５は、本考案に係る疑似餌の第一の実施の形態を示し、本実施形態に係るエギ及びエギの構成要素であるフィン及び針部の固定状態を示した図である。
【図６】図６は、本考案に係る疑似餌の第二の実施の形態を示し、本実施形態に係るエギの背部にフィンを取付けた場合を示す斜視図である。
【図７】図７は、本考案に係る疑似餌の第三の実施の形態を示し、本実施形態に係るエギの背部及び腹部にフィンを取付けた場合を示す斜視図である。
【考案を実施するための最良の形態】
【００４７】
以下、本考案に係る疑似餌に使用されるエギを実施の形態に基づき、図面を参照して詳細に説明する。なお、本考案の疑似餌は、以下の各実施形態（エギ）に限定されるものではなく、本考案の要旨を逸脱しない範囲内において種々変更を加え得ることは可能である。
【００４８】
まず、本考案に係る疑似餌の第一の実施形態について説明する。図１に示すように、本実施形態に係るエギ１０は、胴部１１の腹部側にフィン１２が、胴部１１の尾部側には針部１３が設けられている。また、胴部１１の頭部側には、釣糸を結びつけるための糸環１４が設けられている。
【００４９】
胴部１１は、木や合成樹脂等の素材からなり、イカの主食であるエビを模した形状に形成されている。
【００５０】
図２に示すように、フィン１２は、胴部１１内に配設される固定部１５と、固定部１５に連設され、胴部１１から外方に突出するフィン本体部１６とからなると共に、図４に示すように、胴部１１には、固定部１５が挿入固定される空隙部１７が設けられている。
【００５１】
図２に示すように、固定部１５は、全体略薄型直方体形状に形成され、固定部１５の後側面部２５には、針部１３が挿入固定される挿入凹部２６が設けられている。
【００５２】
また、図２に示すように、固定部１５の前側面部２７には、全体略半円柱形状の前側係止凸部２８が、表側面部２９には、全体略半円柱形状の表側係止凸部３０がそれぞれ設けられると共に、図４に示すように、空隙部１７には、前側係止凸部２８及び表側係止凸部３０にそれぞれ係合する前側係合凹部３１及び表側係合凹部３２が設けられている。
【００５３】
図２に示すように、フィン本体部１６は、側面略三角形状に形成され、前方に膨出する円弧状の前端縁部２２と、前端縁部２２の先端部２３から後方に向かって幅寸法が小さくなる円弧状の外方縁部２４とを有しており、フィン本体部１６の厚さ寸法は、先端部２３側よりも基端部１９側が大きく形成されている。
【００５４】
図３（ｂ）に示すように、フィン本体部１６の前後方向におけるＡ−Ａ断面形状は、前端部２０が最も厚さ寸法が大きく、前端部２０から後端部２１に至るに従って次第に細くなるテーパ状に形成されている。
【００５５】
また、図３（ａ）に示すように、フィン本体部１６の上下方向におけるＢ−Ｂ断面形状は、基端部１９が最も厚さ寸法が大きく、基端部１９から先端部２３に至るに従って次第に細くなるテーパ状に形成されている。
【００５６】
図４及び図５に示すように、胴部１１の胴部後端部３３には針部１３が突設され、針部１３は、軸部３４と軸部３４の径方向に突出する針本体３５とからなり、胴部１１には、針部１３が固定される挿入固定孔部３６が形成されている。
【００５７】
次に、本考案に係る疑似餌の第２の実施形態について説明する。なお、本実施形態に係るエギ３７は、上述した第一の実施形態に係るエギ１０の構成要素のフィン１２の固定場所が異なる以外は、エギ１０と同一の構成であるので、本実施形態については、異なる部分についてのみ説明し、それ以外の部分については説明を省略する。
【００５８】
図６に示すように、本実施形態に係るエギ３７におけるフィン３８は、胴部３９の背部側に設けられている。
【００５９】
これにより、胴部３９の前後方向の水流に対して同調することができるため、胴部３９の左右方向への揺れを低減することができるので、ローリングの抑制や回頭性の向上により、エギ３７の直進安定性を確保することができる。
【００６０】
次に、本考案に係る疑似餌の第３の実施形態について説明する。なお、本実施形態に係るエギ４０は、上述した第一の実施形態に係るエギ１０の構成要素のフィン１２の固定場所が異なる以外は、エギ１０と同一の構成であるので、本実施形態については、異なる部分についてのみ説明し、それ以外の部分については説明を省略する。
【００６１】
図７に示すように、本実施形態に係るエギ４０におけるフィン４１、４２は、胴部４３の背部側及び腹部側に、夫々、軸方向における同一部位に設けられている。
【００６２】
これにより、水中における姿勢を安定させることができるので、例えば、浮き上がりや浮き沈み等の水中におけるエギ４０の動作を容易にコントロールすることができる。
【００６３】
なお、上述した各実施形態に係るエギの構成要素であるフィン本体部の断面形状としては、利用者の要望や疑似餌の種類等に合わせて、本考案の要旨を逸脱しない範囲内において適宜変更することが可能である。
【００６４】
本考案においては、例えば、フィン本体部の前後方向における断面形状について、前端部の厚さ寸法が最も大きく、前端部から後端部に至るに従って細くなるようなテーパ状に形成されてもよいし、フィン本体部の前後方向における断面形状が、後端部の厚さ寸法が最も大きく、後端部から前端部に至るに従って細くなるようなテーパ状に形成されてもよい。
【００６５】
これにより、水中に投入する際の空気抵抗を最小限に抑えることができるので、気流に対して平行になるように姿勢を保持し、飛距離を大幅に伸ばすことができる。
【００６６】
また、上述した各実施形態に係る疑似餌の構成要素であるフィンの素材としては、利用者の要望や疑似餌の種類等に合わせて、本考案の要旨を逸脱しない範囲内において適宜変更することが可能である。
【００６７】
本考案においては、例えば、金属、ポリカーボネート、アクリロニトリル(Ａｃｒｙｌｏｎｉｔｒｉｌｅ)・ブタジエン(Ｂｕｔａｄｉｅｎｅ)・スチレン(Ｓｔｙｒｅｎｅ)共重合合成樹脂（ＡＢＳ）、アクリロニトリル(Ａｃｒｙｌｏｎｉｔｒｉｌｅ)・スチレン(Ｓｔｙｒｅｎｅ)共重合合成樹脂（ＡＳ）等の硬質素材や、ポリプロピレン、エラストマー、ナイロン等の軟質素材、或いは、ポリカーボネート、ＡＢＳ、ＡＳ等の透明素材を適用することができる。
【００６８】
これにより、フィンに硬質素材を適用することにより、フィンの強度を高めることができると共に、水中における水流抵抗を最小限に抑えることができるので、ターゲットや障害物等との衝撃等によるフィンの破損を防止することができ、且つローリングの抑制や回頭性の向上により、疑似餌の直進安定性を確保することができる。
【００６９】
フィンに軟質素材を適用することにより、フィンを柔らかくすることができるので、使用者の操作性を向上させることができる。
【００７０】
また、利用者の要望や疑似餌の種類等に合わせて、硫化亜鉛（ZnS系）、アルミン酸ストロンチウム（SrAl2O4系）等の畜光性蛍光体を含む塗料をフィンに塗布してもよいし、ポリカーボネート、ＡＢＳ、ＡＳ等の透明素材を適用してもよい。
【００７１】
畜光性蛍光体を含む塗料をフィンに塗布することにより、疑似餌が水中に投入されると、蓄光性物質の発光による燐光を発するので、燐光によりターゲットが生物であると誤認することによる集魚効果により、大幅に釣果を上げることができる。
【００７２】
また、フィンに透明素材を適用することにより、フィンの存在をターゲットに感知又は視認させにくくすることができるので、フィンの存在感を低下させることにより、例えば、胴部等の着色部分や上述した蓄光性物質による燐光等のフィン以外の要素を、ターゲットに対してアピールしやすくなると共に、疑似餌のボリューム感を抑えたように錯覚させることができる。
【００７３】
なお、本考案においては、上述したポリカーボネート、ＡＢＳ、ＡＳ等の素材を疑似餌の用途や顧客の要望などに応じて、適宜着色して利用することができる。
【００７４】
また、イカの捕食魚やエビ等のエキス、雌イカのホルモン物質等の魚を誘い込むための誘引物質等をフィンに含ませてもよい。
【００７５】
次に、本実施形態に係るエギ１０におけるフィン１２の胴部１１への取り付け方法について説明する。
【００７６】
まず、図４及び図５に示すように、胴部１１の腹部側に設けられた空隙部１７にフィン１２の固定部１５を挿入し、空隙部１７に設けられた前側係合凹部３１及び表側係合凹部３２に、固定部１５に設けられた前側係止凸部２８及び表側係止凸部３０を、それぞれ係合させる。
【００７７】
空隙部１７に設けられた前側係合凹部３１及び表側係合凹部３２に、固定部１５に設けられた前側係止凸部２８及び表側係止凸部３０をそれぞれ係合させることにより、胴部１１にフィン１２を確実に固定することができる。
【００７８】
次に、図４及び図５に示すように、胴部１１の胴部後端部３３に設けられた挿入固定孔部３６に針部１３の軸部３４を挿入し、更に、固定部１５の後側面部２５に設けられた挿入凹部２６に軸部３４を挿入して胴部１１にフィン１２を固定させる。
【００７９】
胴部１１の挿入固定孔部３６に針部１３の軸部３４を挿入し、更に、固定部１５の挿入凹部２６に軸部３４を挿入して胴部１１にフィン１２を固定させることにより、前記胴部の後端部に前記フィンを確実且つ堅強に固定することができるので、ターゲットや障害物等との衝撃等によるフィン１２の脱落を防止することができ、且つ特にイカ釣りに用いることができる。
【００８０】
次に、本考案に係る疑似餌の使用方法について説明する。なお、ここでは、第一の実施形態にかかるエギ１０を用い、エギングと称されるイカ釣りを例に挙げて説明する。
【００８１】
まず、釣り人は、図１に示すように、糸環１４にイカ釣り用の釣り糸（図示せず）を結び、釣り竿（図示せず）を振ってエギ１０を狙った場所に向けて飛ばし（キャスト）、エギ１０を海面に着水させる。これにより、エギ１０は海底に向かって沈降（フォール）していく。
【００８２】
本実施形態にかかるエギ１０においては、図３（ａ）に示すように、フィン本体部１６の上下方向におけるＢ−Ｂ断面形状は、基端部１９が最も厚さ寸法が大きく、基端部１９から先端部２３に至るに従って次第に細くなるテーパ状に形成されていることから、水中における水流抵抗を最小限に抑えることができると共に、水中投下後の沈下姿勢を安定させることができ、且つローリングの抑制や回頭性の向上により、エギ１０の直進安定性を確保することができる。
【００８３】
次に、釣り人によって釣竿が大きく上方にしゃくられると、釣り糸に引っ張られてエギ１０は高速で上方へと移動（ジャンプ）し、更に釣り糸が巻かれつつ竿先が左右に連続的に動かされると、エギ１０は左右にジグザグに移動（ダート）する。
【００８４】
本実施形態にかかるエギ１０においては、図３（ｂ）に示すように、フィン本体部１６の前後方向におけるＡ−Ａ断面形状は、前端部２０が最も厚さ寸法が大きく、前端部２０から後端部２１に至るに従って細くなるようなテーパ状に形成されていることから、水中における水流抵抗を軽減することができ、その結果、ローリングの抑制や回頭性の向上により、疑似餌の直進安定性を確保することができる。
【００８５】
これらの動作により、イカがエギ１０を餌（ベイト）と勘違いしてエギ１０に抱きつくと、イカに針部１３が引っかかり、イカを釣り上げることができる。
【００８６】
なお、上述した各実施例にかかる疑似餌においては、胴部に対してフィンを完全に固定する構成を例に挙げて説明したが、フィンが所定の接着剤により固定されてもよいし、フィンが着脱可能に設けられてもよく、また、針部以外の支持体によりフィンが固定されてもよく、それらの場合であっても本実施例ともに上述した同様の作用及び効果を得ることが可能である。
【００８７】
また、上述した各実施形態に係る疑似餌においては、フィンが胴部側、背部側、又は胴部側及び背部側に設けられた構成を例に挙げて説明したが、利用者の要望や疑似餌の種類等に合わせて、フィンの固定位置や設置数を適宜変更することが可能であり、その場合であっても本実施形態ともに上述した同様の作用及び効果を得ることができる。
【産業上の利用可能性】
【００８８】
本考案に係る疑似餌は、ターゲットや障害物等との衝撃等による前記フィンの脱落を防止することができ、且つ水中における水流抵抗を軽減することができるので、ローリングの抑制や回頭性の向上により、疑似餌の直進安定性を確保することができ、その結果、エギ、プラグ、ジグ、ワーム、スッテ、イカ角として極めて有用であることから、産業上の利用可能性を有している。
【符号の説明】
【００８９】
１０、３７、４０・・・エギ
１１、３９、４３・・・胴部
１２、３８、４１、４２・・・フィン
１３・・・針部
１４・・・糸環
１５・・・固定部
１６・・・フィン本体部
１７・・・空隙部
１９・・・基端部
２０・・・前端部
２１・・・後端部
２２・・・前端縁部
２３・・・先端部
２４・・・外方縁部
２５・・・後側面部
２６・・・挿入凹部
２７・・・前側面部
２８・・・前側係止凸部
２９・・・表側面部
３０・・・表側係止凸部
３１・・・前側係合凹部
３２・・・表側係合凹部
３３・・・胴部後端部
３４・・・軸部
３５・・・針本体
３６・・・挿入固定孔部
【図１】
0003184994.tif 000003
【図２】
0003184994.tif 000004
【図３】
0003184994.tif 000005
【図４】
0003184994.tif 000006
【図５】
0003184994.tif 000007
【図６】
0003184994.tif 000008
【図７】
0003184994.tif 000009